(57)【要約】【課題】  メッセージなどの情報を具備させることができ、それを簡単に隠すことができる二重ラベルを提供する。【解決手段】  折り曲げ可能な表基材１と前記表基材１の裏面に重ねられた裏基材２とを有し、前記裏基材２の裏面に粘着剤層６が設けられている二重ラベルＡであって、前記表基材１が、表基材１の縁を含む表基材１の一部領域であって前記裏基材２に対して剥離可能に接着された少なくとも２つの独立した剥離部３と、前記剥離部３に連続した領域であって前記裏基材２に接着された接着部４と、を有し、前記剥離部３と接着部４の境界において剥離部３を接着部４の表面に重なるまで折り返したときに、前記２つの剥離部３がその一部又は全部で重なる。【選択図】  図１
2020052171.tif 000002
【特許請求の範囲】
【請求項１】
折り曲げ可能な表基材と前記表基材の裏面に重ねられた裏基材とを有し、前記裏基材の裏面に粘着剤層が設けられている二重ラベルであって、
前記表基材が、表基材の縁を含む表基材の一部領域であって前記裏基材に対して剥離可能に接着された少なくとも２つの独立した剥離部と、前記剥離部に連続した領域であって前記裏基材に接着された接着部と、を有し、
前記剥離部と接着部の境界において剥離部を接着部の表面に重なるまで折り返したときに、前記２つの剥離部がその一部又は全部で重なる、二重ラベル。
【請求項２】
前記一方の剥離部には、他方の剥離部の端部を差し込む差し込み口が形成されている、請求項１に記載の二重ラベル。
【請求項３】
折り曲げ可能な表基材と前記表基材の裏面に重ねられた裏基材とを有し、前記裏基材の裏面に粘着剤層が設けられている二重ラベルであって、
前記表基材が、表基材の縁を含む表基材の一部領域であって前記裏基材に対して剥離可能に擬似接着された少なくとも１つの剥離部と、前記剥離部に連続した領域であって前記裏基材に接着された接着部と、を有し、
前記擬似接着されている剥離部を前記裏基材から剥離し、折り返したときに現れる剥離部の裏面が、接着性を有さない面とされている、二重ラベル。
【請求項４】
前記表基材には、剥離部と接着部の境界に沿って折り曲げ補助手段が設けられている、請求項１乃至３のいずれか一項に記載の二重ラベル。
【請求項５】
前記表基材の接着部の表面に、メッセージを記入する記入欄が設けられている、請求項１乃至４のいずれか一項に記載の二重ラベル。
【請求項６】
前記裏基材の一部分には、切取り補助線が形成されている、請求項１乃至５のいずれか一項に記載の二重ラベル。
【発明の詳細な説明】
【技術分野】
【０００１】
本発明は、独自のメッセージなどの情報を具備させることができる二重ラベルに関する。
【背景技術】
【０００２】
特許文献１には、表面シートが基材シートに剥離可能に接着された二重ラベルが開示されている。
かかる二重ラベルは、基材シートに設けられた粘着剤層を介して商品に貼り付けて使用される。商品の購入者は、表面シートを剥離することにより、基材シート及び表面シートに印刷された情報を読み取ることができる。
かかる二重ラベルは、表面シートを剥離して、ラベルの製造者が予め印刷した情報を商品の購入者に伝達するものである。
【先行技術文献】
【特許文献】
【０００３】
【特許文献１】特開２００６−３６３４号公報
【発明の概要】
【０００４】
ところで、ラベル付き商品の利用方法として、商品の購入者が、ラベルに独自のメッセージを書き込んで、その商品をメッセージ付きプレゼントとして友人などに贈るということも考えられる。
しかしながら、ラベルに書き込んだメッセージが一見して見えてしまうと、プレゼントとしての面白みが低下する。
【発明が解決しようとする課題】
【０００５】
本発明は、メッセージなどの情報を具備させることができ、それを簡単に隠すことができる二重ラベルを提供することである。
【課題を解決するための手段】
【０００６】
本発明の第１の二重ラベルは、折り曲げ可能な表基材と前記表基材の裏面に重ねられた裏基材とを有し、前記裏基材の裏面に粘着剤層が設けられている二重ラベルであって、前記表基材が、表基材の縁を含む表基材の一部領域であって前記裏基材に対して剥離可能に接着された少なくとも２つの独立した剥離部と、前記剥離部に連続した領域であって前記裏基材に接着された接着部と、を有し、前記剥離部と接着部の境界において剥離部を接着部の表面に重なるまで折り返したときに、前記２つの剥離部がその一部又は全部で重なる。
【０００７】
本発明の第２の二重ラベルは、折り曲げ可能な表基材と前記表基材の裏面に重ねられた裏基材とを有し、前記裏基材の裏面に粘着剤層が設けられている二重ラベルであって、前記表基材が、表基材の縁を含む表基材の一部領域であって前記裏基材に対して剥離可能に擬似接着された少なくとも１つの剥離部と、前記剥離部に連続した領域であって前記裏基材に接着された接着部と、を有し、前記擬似接着されている剥離部を前記裏基材から剥離し、折り返したときに現れる剥離部の裏面が、接着性を有さない面とされている。
【０００８】
本発明の好ましい二重ラベルは、前記一方の剥離部には、他方の剥離部の端部を差し込む差し込み口が形成されている。
本発明の好ましい二重ラベルは、前記表基材には、剥離部と接着部の境界に沿って折り曲げ補助手段が設けられている。
本発明の好ましい二重ラベルは、前記表基材の接着部の表面に、メッセージを記入する記入欄が設けられている。
本発明の好ましい二重ラベルは、前記裏基材の一部分には、切取り補助線が形成されている。
【発明の効果】
【０００９】
本発明の二重ラベルは、表基材に記入などしたメッセージなどの情報を、剥離部を接着部の表面上に折り返すことによって、一見して見えないように隠すことができる。かかる二重ラベルは、例えば、メッセージ付きのプレゼントとして利用できる。
【図面の簡単な説明】
【００１０】
【図１】第１実施形態の二重ラベルの平面図。
【図２】図１のＩＩ−ＩＩ線で切断した断面図。
【図３】図１のＩＩＩ−ＩＩＩ線で切断した断面図。
【図４】表基材と裏基材を分離した二重ラベルの分解斜視図。
【図５】二重ラベルを貼り付けた容器の正面図。
【図６】二重ラベルを貼り付けた包装箱の斜視図。
【図７】（ａ）は、表基材にメッセージを書いた状態を示す平面図、（ｂ）は、同斜視図、（ｃ）は、メッセージを書いた後の表基材の剥離部を折り返す過程を示す斜視図。
【図８】（ａ）は、第２剥離部及び第４剥離部を折り返して接着部の表面に重ねた状態を示す平面図、（ｂ）は、更に第１剥離部を折り返した状態を示す平面図、（ｃ）は、更に第３剥離部を折り返した状態を示す平面図。
【図９】第２実施形態の二重ラベルの平面図。
【図１０】表基材と裏基材を分離した二重ラベルの分解斜視図。
【図１１】（ａ）は、表基材にメッセージを書いた状態を示す平面図、（ｂ）は、第１剥離部を折り返して接着部の表面に重ねた状態を示す平面図、（ｃ）は、更に第３剥離部を折り返した状態を示す平面図、（ｄ）は、更に第４剥離部を折り返した状態を示す平面図、（ｅ）は、更に第２剥離部を折り返した状態を示す平面図、（ｆ）は、各剥離部の開きを防止するために粘着シール（裏基材の一部分）を貼り付けた状態を示す平面図。
【図１２】第３実施形態の二重ラベルの平面図。
【図１３】（ａ）は、表基材にメッセージを書いた状態を示す平面図、（ｂ）は、第１剥離部を折り返して接着部の表面に重ねた状態を示す平面図、（ｃ）は、更に第２剥離部を折り返した状態を示す平面図。
【図１４】第４実施形態の二重ラベルの平面図。
【図１５】（ａ）は、表基材にメッセージを書いた状態を示す平面図、（ｂ）は、剥離部を折り返して接着部の表面に重ねた状態を示す平面図、（ｃ）は、剥離部の開きを防止するために粘着シール（裏基材の一部分）を貼り付けた状態を示す平面図。
【図１６】第５実施形態の二重ラベルの断面図。
【図１７】第５実施形態の二重ラベルの剥離部を折り返した状態を示す断面図。
【発明を実施するための形態】
【００１１】
以下、本発明について、図面を参照しつつ説明する。
本明細書において、「平面視」は、表基材、裏基材及び二重ラベルの表面に対して鉛直な方向からその表面を見ることをいう。
本明細書において、用語の頭に、「第１」、「第２」を付す場合があるが、この第１などは、用語を区別するためだけに付加されたものであり、その優劣などの特別な意味を持たない。
各断面図に示される層及び部分の寸法、縮尺及び形状は、実際のものとは異なっていることに留意されたい。
【００１２】
［第１実施形態］
図１は、第１実施形態の二重ラベルの平面図であり、図２及び図３は、その断面図である。図４は、二重ラベルを構成する表基材と裏基材を分離して表した参考斜視図である。
本発明の二重ラベルＡは、折り曲げ可能な表基材１と、前記表基材１の裏面に重ねられた裏基材２とを有し、前記裏基材２の裏面に粘着剤層６が設けられている。
ラベルの使用時に折り返す又は折り返さないの２つの観点で表基材１を区分けすると、表基材１は、使用時に折り返される剥離部３と、使用時に折り返されない接着部４と、を有する。
剥離部３は、裏基材２に対して剥離可能に接着されており、接着部４は、剥離部３よりも裏基材２に対して強く接着され、裏基材２に対して剥離困難に接着されている。
剥離可能とは、人力で容易に捲り剥がすことができることをいう。剥離困難とは、人力で剥離することができない若しくは人力で剥離すると材料破壊を生じること、又は、材料破壊を起こさないで人力で剥離することができるが、容易に剥離できないことをいう。
【００１３】
剥離部３は、表基材１の周縁のうち一部の縁を含んだ表基材１の一部領域である。表基材１の一部の縁を含んでいるので、剥離部３は、その縁から捲ることができる。
剥離部３は、独立して少なくとも２つ形成されている。独立した２つの剥離部３は、その一部分が共有されていてもよい。
２つの剥離部３は、剥離部３と接着部４の境界において剥離部３を接着部４の表面に重なるまで折り返したときに、互いに一部又は全部で重なるような大きさとされている。
【００１４】
具体的には、図１及び図４を参照して、表基材１及び裏基材２は、例えば平面視略正方形状に形成されている。ただし、表基材１及び裏基材２は、平面視略正方形状に限られず、それぞれ独立して、略長方形状、略三角形状、略六角形状などの略多角形状、略円形状、略楕円形状、略星形状、その他の異形状に形成されていてもよい。
本明細書において「略」は、本発明の属する技術分野において許容される範囲を意味する。前記略正方形状などの略多角形状などの「略」は、例えば、角部が面取りされている形状、辺の一部が僅かに膨らむ又は窪んでいる形状、辺が若干湾曲している形状などが含まれる。なお、角部が面取りされているとは、角張った部分の角を取り去り、その部分を弧状又はなだらかな鈍角状に形成することをいう。略円形状及び略楕円形状の「略」は、例えば、周の一部が僅かに膨らむ又は窪んでいる形状、周の一部が若干直線又は斜線とされた形状などが含まれる。
【００１５】
表基材１と裏基材２は、同形同大でもよく、或いは、同形異大（相似形）でもよく、或いは、異形同大でもよく、或いは、異形異大でもよい。
図示例では、同形同大の表基材１と裏基材２が、その周縁を一致させて重ねられている。従って、図１の平面視では、表基材１のみが見え、裏基材２は見えない。
【００１６】
表基材１及び裏基材２は、柔軟で且つ折り曲げ容易なシート材から構成される。
表基材１及び裏基材２を構成するシート材は、特に限定されず、従来公知なシート材を用いることができる。前記シート材としては、例えば、紙、合成紙、合成樹脂フィルム、発泡樹脂シートなどが挙げられる。
紙としては、坪量４０〜１５０ｇ／ｍ２程度のものが例示される。合成紙や合成樹脂フィルムとしては、厚み１０μｍ〜２００μｍ程度のものが例示される。
【００１７】
表基材１としては、紙又は合成紙を用いることが好ましく、紙を用いることがより好ましい。紙からなる表基材１は、折り返した剥離部３が元に戻り難くなるので好ましい。
裏基材２は、特に制限なく、紙、合成紙、合成樹脂フィルム、発泡樹脂シートなどが用いられる。
表基材１は、後述するように剥離部３にてメッセージなどの情報を隠すので、表基材１は、不透明なシート材が好ましい。なお、表基材１として、透明なシート材（合成樹脂フィルムなど）又は半透明なシート材（半透明な紙）を用いる場合には、そのシート材に隠蔽層を設けることによって不透明な表基材１を構成できる。
裏基材２は、透明、半透明又は不透明のいずれのシート材を用いてもよい。
【００１８】
表基材１の裏面に裏基材２が重ねられている。
表基材１には、４つの剥離部３１，３２，３３，３４と、その４つの剥離部３１，３２，３３，３４の一部分のいずれにも連続した接着部４と、が形成されている。以下、４つの剥離部３を区別する必要があるときには、第１剥離部３１、第２剥離部３２、第３剥離部３３、第４剥離部３４という。第１剥離部３１は、表基材１の１つの角縁を含んだ平面視略三角形状からなり、第２剥離部３２は、第１剥離部３１の右側に配置され且つ表基材１のもう１つの角縁を含んだ平面視略三角形状からなり、第３剥離部３３は、第１剥離部３１に対向配置され且つ第１剥離部３１の対角の角縁を含んだ平面視略三角形状からなり、第４剥離部３４は、第１剥離部３１の左側に配置され且つ表基材１のもう１つの角縁を含んだ平面視略三角形状からなる。
接着部４は、第１乃至第４剥離部３１，３２，３３，３４のそれぞれに面方向に連続しており、従って、接着部４は、第１乃至第４剥離部３１，３２，３３，３４に取り囲まれるように配置されている。
図４において、剥離部３を分りやすく図示するため、第１剥離部３１及び第３剥離部３３に、網掛けを付し、第２剥離部３２及び第４剥離部３４に、ドットを付している。
【００１９】
表基材１には、剥離部３と接着部４の境界に沿って折り曲げ補助手段が設けられている。折り曲げ補助手段としては、剥離部３を剥離すると、構造的に折り位置を使用者に認識させるもの（第１手段という）、剥離部３を剥離する際に使用者に対して剥離部３の折り位置を視覚的に認識させるもの（第２手段という）などが挙げられる。
第１手段の代表例は、折り位置に沿って表基材１に形成された折り罫線である。各図のうち、一点鎖線は、折り罫線（折り罫線にて折り返される前の折り罫線）を示す。
折り罫線としては、例えば、ハーフカット線、ミシン目線、押し線などが挙げられる。ハーフカット線は、Ｖノッチ線などとも呼ばれ、表基材１の厚み方向に非貫通で刻み込んだ線である。ミシン目線は、ミシン針の縫い目のごとく、小さな貫通孔が断続的に形成された線である。押し線は、基材を厚み方向に押し込んで凹状の型付けが成された線である。図２及び図３では、ハーフカット線からなる折り罫線を例示している。
折り罫線は、平面視非直線状でもよいが、剥離部３を綺麗に折り返すために、平面視直線状であることが好ましい。
第１剥離部３１と接着部４の間には、第１折り罫線５１が形成され、第２剥離部３２と接着部４の間には、第２折り罫線５２が形成され、第３剥離部３３と接着部４の間には、第３折り罫線５３が形成され、第４剥離部３４と接着部４の間には、第４折り罫線５４が形成されている。各折り罫線５１，５２，５３，５４は、表基材１の１つの縁から他の縁まで直線状に形成されている。
【００２０】
第２手段の代表例は、折り位置に沿って表基材１に印刷された目印線である。なお、第１手段と第２手段を併用してもよい。つまり、表基材１に目印線を印刷表示すると共に、その目印線上に折り罫線を形成してもよい。
【００２１】
第１乃至第４剥離部３１，３２，３３，３４から選ばれる少なくとも２つの剥離部３は、接着部４の表面に重なるまで折り返したときに、その一部又は全部で重なるような大きさに形成され、及び／又は、その一部又は全部で重なるような配置とされている。
後述するように、第１剥離部３１と第２剥離部３２、第１剥離部３１と第３剥離部３３、及び、第１剥離部３１と第４剥離部３４は、折り返した際に、それぞれ一部分で重なるように形成されている。
例えば、第１剥離部３１は、第２剥離部３２、第３剥離部３３及び第４剥離部３４よりも大面積であり、第２剥離部３２、第３剥離部３３及び第４剥離部３４は、略同面積である。
なお、第１剥離部３１と第２剥離部３２、及び、第１剥離部３１と第４剥離部３４は、その一部分が共有され、その余の部分で独立している。すなわち、第１剥離部３１の右側部と第２剥離部３２の下側部は共有され、第１剥離部３１の左側部と第４剥離部３４の下側部は共有されている。第３剥離部３３の全体は、それに隣接する第２剥離部３２及び第４剥離部３４から独立している。
図４において、共有されている部分に網掛け及びドットの双方を付している。
【００２２】
なお、第１剥離部３１の面内には、差し込み口１５が形成されている。差し込み口１５は、第１剥離部３１の面内の一部分を切抜き又は切り込むことによって形成できる。差し込み口１５は、第１剥離部３１以外の剥離部３（図示例では、第３剥離部３３）の端部を差し込み可能で且つ差し込んだ端部を保持できる大きさに形成されている。
【００２３】
第１乃至第４剥離部３１，３２，３３，３４は、裏基材２に剥離可能に接着されている。例えば、第１乃至第４剥離部３１，３２，３３，３４は、裏基材２の表面に擬似接着されている。擬似接着とは、少しの力で層間剥離できる程度に弱く接着している状態であって、一度剥離した後（弱く接着している状態を解除した後）、再度接着しないことをいう。擬似接着されている第１乃至第４剥離部３１，３２，３３，３４を裏基材２から剥離し且つ折り返して現れる、第１乃至第４剥離部３１，３２，３３，３４の各裏面は、接着性を有さない面（非接着性面）となっている。なお、同様に、擬似接着された第１乃至第４剥離部３１，３２，３３，３４を剥離することによって現れる裏基材２の表面（第１乃至第４剥離部３１，３２，３３，３４に対応する裏基材２の表面）も、接着性を有さない面（非接着性面）となっている。
第１乃至第４剥離部３１，３２，３３，３４は、それぞれ独立して、その裏面全体が裏基材２に剥離可能に接着（例えば擬似接着）されていてもよく、或いは、その裏面の一部分が裏基材２に剥離可能に接着（例えば擬似接着）されていてもよい。なお、第１乃至第４剥離部３１，３２，３３，３４の一部分が接着される場合、第１乃至第４剥離部３１，３２，３３，３４が不用意に捲れ上がらない程度の面積及び／又は箇所にて接着する必要がある。
同様に、接着部４は、その裏面全体が裏基材２に剥離困難に接着されていてもよく、或いは、その裏面の一部分が裏基材２に剥離困難に接着されていてもよい。なお、接着部４の一部分が接着される場合、接着部４が裏基材２から不用意に剥がれない程度の面積にて接着する必要がある。
第１乃至第４剥離部３１，３２，３３，３４を接着部４との境界で折り返し易くなることから、接着部４の裏面全体が裏基材２に接着されていることが好ましい。
【００２４】
また、表基材１の表面には、メッセージを記入する記入欄１８が設けられている。この記入欄１８は、例えば、図示のような、印刷によって表された線囲いなどからなる。表基材１の表面のうち、少なくとも記入欄１８には、筆記具にて文字などを描くことができるようになっている。つまり、記入欄１８（表基材１の表面でもある）は、筆記具のインキなどが添着可能な状態となっている。筆記具としては、鉛筆、ボールペン、サインペンなどが挙げられる。
記入欄１８は、表基材１の全体又は一部に設けられていればよいが、少なくとも接着部４の表面の一部又は全体に記入欄１８が設けられていることが好ましい。
【００２５】
裏基材２の裏面には、粘着剤層６が設けられている。粘着剤層６は、二重ラベルＡを被着体に貼り付けるために設けられている。粘着剤層６は、裏基材２の裏面の全体に設けられている。もっとも、二重ラベルＡが被着体から不用意に剥がれないことを条件として、粘着剤層６が裏基材２の裏面の一部分に設けられていてもよい（図示せず）。なお、粘着剤層６が裏基材２の裏面の一部分に設けられている二重ラベルＡは、その貼り付け態様により、いわゆるＰＯＰラベル（ラベルの一部分を被着体から突出させるラベル）のようにして使用することもできる。
粘着剤層６を構成する粘着剤は、特に限定されず、感圧型粘着剤、感熱型粘着剤、紫外線硬化型粘着剤などが挙げられ、一般的には、感圧型粘着剤が用いられる。
粘着剤は、二重ラベルＡと被着体の間に介在して両者を貼着でき、且つ人力で二重ラベルＡを引き剥がすことができる程度の粘着力を有し、剥離後再貼付可能なもの（剥離後も粘着性を有するもの）をいう。粘着剤層６の接着強度は、被着体の材質によって異なるので、一概に言えないが、例えば、２〜７Ｎ／１５ｍｍ程度で被着体に接着するものが好ましい。
【００２６】
次に、二重ラベルＡの層構成を図２及び図３を参照して説明する。
なお、図２及び図３を含む本明細書の断面図においては、各層を分りやすくするために、各層の厚みを比較的大きく表したため、層が存在しない箇所が極端に落ち込み、中央部分に外形上の大きな窪みが存在するように見えるが、実際にはこのような窪みを有さないことに留意されたい。つまり、実際の印刷層は、厚みが１〜１０μｍ程度であり、実際の二重ラベルには、図示のような窪みは存在せず、目視による外観では略平坦状である。
【００２７】
表基材１の表面には、第１デザイン印刷層７１が設けられている。第１デザイン印刷層７１は、表基材１の表面全体に形成されていてもよく、或いは、表基材１の表面の一部分に設けられていてもよい。本明細書において、デザイン印刷層は、文字、線画などの任意の表示を含むインキ層をいう。前記第１デザイン印刷層７１には、少なくとも前記記入欄１８となる表示（例えば、線囲いなど）が含まれる。このような第１デザイン印刷層７１は、カラーインキを表基材１の表面に印刷することによって形成できる。また、第１デザイン印刷層７１は、前記カラーインキによって表される背景に、白色印刷層などの有色ベタ印刷層を含んでいてもよい。特に、表基材１のシート材が透明又は半透明である場合には、第１デザイン印刷層７１として前記有色ベタ印刷層を設けることにより、その有色ベタ印刷層が表基材１の隠蔽層となる。
【００２８】
前記第１デザイン印刷層７１の表示内容として、後述する剥離部の折り手順を表してもよい。かかる折り手順の表示は、記入欄１８への記入を妨げない箇所に表されていることが好ましい。
なお、少なくとも記入欄１８に対応する表基材１の表面に、例えば、白色印刷層やマット印刷層（艶消し印刷層）などのベタ状の印刷層を設けておくことが好ましい（図示せず）。このようなベタ状の印刷層を設けることにより、筆記具にて記入欄１８に文字などを記入し易くなる。
【００２９】
表基材１の裏面には、第２デザイン印刷層７２が設けられている。第２デザイン印刷層７２は、必要に応じて設けられる。第２デザイン印刷層７２は、表基材１の裏面全体に形成されていてもよく、或いは、表基材１の裏面の一部分に設けられていてもよい。第１乃至第４剥離部３１，３２，３３，３４を折り返した際に、第２デザイン印刷層７２の表示が見えるようになることから、第２デザイン印刷層７２は、第１乃至第４剥離部３１，３２，３３，３４から選ばれる少なくとも１つの剥離部３の裏面に設けられている。なお、使用時に接着部４の裏面は見えないので、接着部４の裏面には第２デザイン印刷層７２は設けられていない。
【００３０】
第１乃至第４剥離部３１，３２，３３，３４の裏面には（第２デザイン印刷層７２が設けられている場合には、その裏面）、それぞれ剥離層８１が設けられている。図示例では、剥離層８１は、第１乃至第４剥離部３１，３２，３３，３４の端部（先端部）を除いて、第１乃至第４剥離部３１，３２，３３，３４の裏面全体に設けられている。なお、接着部４の裏面には、剥離層８１は設けられていない。前記第１乃至第４剥離部３１，３２，３３，３４の先端部は、各剥離部３を捲って折り返す際の、捲り代３ａとなる。
剥離層８１は、従来公知であり、例えば、印刷法などによって剥離剤を塗工することによって形成できる。剥離剤としては、代表的には、シリコーン系樹脂を含む溶液などが挙げられる。
剥離層８１の厚みは、特に限定されず、例えば、０．５μｍ〜５μｍである。剥離層８１の厚みを適宜設計することにより、擬似接着の強度を調整できる。
【００３１】
他方、裏基材２については、裏基材２の裏面には、粘着剤層６が設けられている。粘着剤層６の厚みは、特に限定されないが、例えば、１０μｍ〜３０μｍである。
裏基材２の表面には、第３デザイン印刷層７３が設けられている。第３デザイン印刷層７３は、必要に応じて設けられる。第３デザイン印刷層７３は、裏基材２の表面全体に形成されていてもよく、或いは、裏基材２の表面の一部分に設けられていてもよい。第１乃至第４剥離部３１，３２，３３，３４を折り返した際に、第３デザイン印刷層７３の表示が見えるようになることから、第３デザイン印刷層７３は、第１乃至第４剥離部３１，３２，３３，３４から選ばれる少なくとも１つの剥離部３に対応する裏基材２の表面に設けられている。なお、使用時に接着部４に対応する裏基材２は見えないので、接着部４に対応する裏基材２の表面には第３デザイン印刷層７３は設けられていない。
【００３２】
表基材１と裏基材２の間には、接着剤層８２が設けられている。
接着剤層８２は、表基材１の接着部４と、第１乃至第４剥離部３１，３２，３３，３４のうち剥離層８１が積層されている範囲と、に設けられている。
従って、接着剤層８２は、裏基材２の表面（第３デザイン印刷層７３が設けられている場合にはその表面）と剥離層８１の裏面の間、及び、裏基材２の表面と表基材１の接着部４の間に、介在されている。
なお、図示例では、剥離層８１に対応する接着剤層８２は、剥離層８１と同面積で設けられているが、剥離層８１に対応する接着剤層８２が部分的に設けられていてもよい。
【００３３】
接着剤層８２は、裏基材２の表面（第３デザイン印刷層７３が設けられている場合にはその表面）に強く接着（剥離困難に接着）している。他方、剥離層８１と接着剤層８２は、その界面において擬似接着している。
かかる層構成により、表基材１の第１乃至第４剥離部３１，３２，３３，３４は、裏基材２に対して剥離可能に接着され、表基材１の接着部４は、裏基材２に対して剥離困難に接着されている。
接着剤層８２を構成する接着剤は、従来公知であり、例えば、印刷法などによって接着剤を塗工することによって形成できる。接着剤としては、表基材１と裏基材２を接着できるものであれば特に限定されず、紫外線硬化型樹脂、溶剤揮発型樹脂などが挙げられる。印刷法によって接着剤層８２を形成できることから、紫外線硬化型インキなどの接着性を有するインキを用いることが好ましい。
【００３４】
本発明の二重ラベルＡは、例えば、粘着剤層６を介して任意の被着体に貼り付けて使用される。この場合、二重ラベルＡと被着体が一体となったラベル付き商品の形態で販売される。
被着体は、特に限定されず、代表的には、ＰＥＴボトルなどの飲料容器、調味料容器、シャンプーなどのサニタリー容器、洗剤容器、化粧品容器、医薬品容器、紙製包装箱などの各種容器のほか、おもちゃや機械工具類などの商品自体が挙げられる。
図５及び図６は、ラベル付き商品の一態様であり、図５は、飲料などが収容された容器Ｂの胴部に二重ラベルＡが貼り付けられたラベル付き容器を示し、図６は、お菓子などが収容された包装箱Ｃの一面に二重ラベルＡが貼り付けられたラベル付き箱を示す。
本発明の二重ラベルＡは、商品に直接貼り付けてもよく、商品の包装フィルム（例えば、図５に示すようなシュリンクラベル、ストレッチラベル、巻付けラベル、インモールドラベル、タックラベル）や商品の箱（図６参照）、商品の付随物（例えば、首掛けラベルやおまけなど）に貼り付けられていてもよい。
また、本発明の二重ラベルＡは、それ自体を商品として販売される。
【００３５】
本発明の二重ラベルＡは、次のようにして使用される。
使用者（例えば、ラベル付き商品の形態で購入した購入者、二重ラベルそのものを購入した購入者など）が、図７（ａ）及び（ｂ）に示すように、表基材１の表面に、所望のメッセージを具備させる。メッセージを具備させる方法としては、表基材１の表面に筆記具を用いて書き込む、或いは、別途シールを貼り付けるなどが挙げられる。記入欄１８が設けられている場合には、そこにメッセージを書き込むことを使用者に認知させやすくなる。
メッセージを記入した後、同図（ｃ）に示すように、剥離部３を折り返していく。第１乃至第４剥離部３１，３２，３３，３４の先端部は、捲り代３ａとされているので、その先端部を捲ることにより、裏基材２に擬似接着された第１乃至第４剥離部３１，３２，３３，３４を容易に剥離できる。
【００３６】
例えば、同図（ｃ）に示すように、第２剥離部３２及び第４剥離部３４の捲り代３ａからそれぞれの剥離部３を捲り、接着部４に対して折り返す。剥離部３と接着部４の境界に折り罫線（折り曲げ補助手段）が設けられているので、第２折り罫線５２及び第４折り罫線５４にて第２剥離部３２及び第４剥離部３４をそれぞれ簡単に折り返すことができる。
図８（ａ）は、第２剥離部３２及び第４剥離部３４を、接着部４の表面に重なるまで折り返した状態を示す。
次に、第１剥離部３１を、同様に捲り代３ａから捲り、第１折り罫線５１にて折り、接着部４の表面に重ねる（同図（ｂ）参照）。
同図（ｂ）に示すように、折り返された第１剥離部３１は、第２剥離部３２及び第４剥離部３４に部分的に重なっている。詳しくは、折り返された第１剥離部３１と第２剥離部３２は、互いの一方の側縁部で平面視帯状に重なり、折り返された第１剥離部３１と第４剥離部３４は、互いの他方の側縁部で平面視帯状に重なっている。
【００３７】
最後に、第３剥離部３３を、同様に捲り代３ａから捲り、第３折り罫線５３にて折り、接着部４の表面に重ねる（同図（ｃ）参照）。
同図（ｃ）に示すように、折り返された第３剥離部３３は、第１剥離部３１に部分的に重なっている。詳しくは、折り返された第３剥離部３３と第１剥離部３１は、互いの先端部で重なっている。そして、第３剥離部３３の端部（先端部）を、第１剥離部３１の差し込み口１５に挿入する。このように第３剥離部３３と第１剥離部３１を部分的に係合させることにより、第３剥離部３３及び第１剥離部３１が、一体化されて開き戻らないようになる。また、第２剥離部３２及び第４剥離部３４には前記一体化された第１剥離部３１及び第３剥離部３３が部分的に重なっているので、第２剥離部３２及び第４剥離部３４も開き戻らないようになる。
本実施形態では、１つの剥離部３の端部ともう１つの剥離部３の差し込み口１５が、剥離部３の開き防止手段に相当する。
【００３８】
本発明の二重ラベルＡは、剥離部３を折り返すという簡易な作業で、接着部４の表面に具備させた独自のメッセージを隠すことができ、メッセージを一見して見ることができなくなる。折り返した剥離部３が部分的に重なることにより、剥離部３によって接着部４を隙間なく隠すことができる。
なお、メッセージを第１乃至第４剥離部３１，３２，３３，３４に具備させてもよく、その場合でも、剥離部３を折り返すと、そのメッセージを隠すことができる。
そして、第１剥離部３１と第３剥離部３３の係合を解除して、第１乃至第４剥離部３１，３２，３３，３４を開いていくと、再びメッセージを見ることができる。
このような本発明の二重ラベルＡ及びこれが貼り付けられたラベル付き商品は、面白みのあるメッセージ付きプレゼントとして利用できる。このプレゼントを受け取った者は、剥離部３を開いて初めてメッセージなどの情報を見ることができ、かかるラベルは簡易でありながら遊び心に優れたものと言える。
【００３９】
以下、本発明の第２実施形態以降を説明するが、その説明に於いては、主として上記第１実施形態と異なる構成及び効果について説明し、同様の構成などについては、用語又は符号をそのまま援用し、その構成の説明を省略する場合がある。
【００４０】
［第２実施形態］
第２実施形態の二重ラベルは、各剥離部の平面視形状が異なる。
図９は、第２実施形態の二重ラベルＡの平面図であり、図１０は、二重ラベルＡを構成する表基材１と裏基材２を分離して表した参考斜視図である。
図１０において、剥離部３を分りやすく図示するため、第１剥離部３１及び第３剥離部３３に、網掛けを付し、第２剥離部３２及び第４剥離部３４に、ドットを付している。なお、網掛け及びドットの双方が付されている部分は、２つの剥離部が共有されている部分である。
本実施形態の二重ラベルＡも、表基材１と、裏基材２とを有し、前記裏基材２の裏面に粘着剤層６が設けられている。表基材１は、使用時に折り返される第１乃至第４剥離部３１，３２，３３，３４と、使用時に折り返されない接着部４と、を有する。第１乃至第４剥離部３１，３２，３３，３４は、裏基材２に対して剥離可能に接着されており、接着部４は、裏基材２に剥離困難に接着されている。上記実施形態と同様に、第１乃至第４剥離部３１，３２，３３，３４は、裏基材２に擬似接着され、接着部４は、接着剤層８２を介して裏基材２に剥離困難に接着されている。二重ラベルＡの層構成は、上記第１実施形態と同様である。
表基材１及び裏基材２は、例えば、平面視略正方形状に形成されている。具体的には、正方形の向かい合う一対の角部が切り欠かれた平面視形状に形成されている。
図示例では、同形同大の表基材１と裏基材２が、その周縁を一致させて重ねられている。
【００４１】
表基材１には、第１乃至第４剥離部３１，３２，３３，３４と接着部４の境界に沿って折り曲げ補助手段（例えば折り罫線）が形成されている。
第１剥離部３１と接着部４の間には、第１折り罫線５１が形成され、第２剥離部３２と接着部４の間には、第２折り罫線５２が形成され、第３剥離部３３と接着部４の間には、第３折り罫線５３が形成され、第４剥離部３４と接着部４の間には、第４折り罫線５４が形成されている。各折り罫線５１，５２，５３，５４は、表基材１の１つの縁から他の縁まで直線状に形成されている。
【００４２】
表基材１の表面には、メッセージを記入する記入欄１８が設けられている。
また、裏基材２の一部分には、ミシン目線などの切取り補助線２５が形成されている。例えば、裏基材２の１つの角部（先端部）を裏基材２から切り離すことができるように、前記切取り補助線２５が形成されている。なお、表基材１には、差し込み口１５が形成されていない。
【００４３】
本実施形態の二重ラベルＡも、ラベル付き商品の形態で販売され、或いは、それ自体を商品として販売される。
本実施形態の二重ラベルＡは、例えば、使用者が、図１１（ａ）に示すように、表基材１の表面に、所望のメッセージを具備させる。次に、同図（ｂ）に示すように、捲り代３ａから第１剥離部３１を捲り、第１折り罫線５１において折り曲げ、接着部４に対して折り返す。さらに、捲り代３ａから第３剥離部３３を捲り、第３折り罫線５３にて折り、接着部４の表面に重ねる（同図（ｃ））。折り返された第３剥離部３３は、第１剥離部３１に部分的に重なる。さらに、捲り代３ａから第４剥離部３４を捲り、第４折り罫線５４にて折り、接着部４の表面に重ねる（同図（ｄ））。折り返された第４剥離部３４は、第１剥離部３１及び第３剥離部３３に部分的に重なる。さらに、捲り代３ａから第２剥離部３２を捲り、第２折り罫線５２にて折り、接着部４の表面に重ねる（同図（ｅ））。折り返された第２剥離部３２は、第１剥離部３１及び第３剥離部３３に部分的に重なる。
【００４４】
最後に、切取り補助線２５に沿って裏基材２の一部分２９を切り取り、同図（ｆ）に示すように、その一部分２９を粘着剤層６を介して第２剥離部３２と第４剥離部３４に跨がって貼り付けることにより、第２剥離部３２及び第４剥離部３４が、一体化されて開き戻らないようになる。また、第１剥離部３１及び第３剥離部３３には前記一体化された第２剥離部３２及び第４剥離部３４が重なっているので、第１剥離部３１及び第３剥離部３３も開き戻らないようになる。
本実施形態では、裏基材２の一部分（粘着剤層６を裏面に有する裏基材２の一部分２９）が、剥離部３の開き防止手段に相当する。
【００４５】
本実施形態の二重ラベルＡは、剥離部３を折り返すという簡易な作業で、使用者独自のメッセージを隠すことができ、剥離部３を開くことにより、メッセージを見ることができる。
また、本実施形態のような剥離部３の形状及び折り方によれば、図１１（ｆ）に示すように、剥離部３によってハート型を作製することもでき、面白みのある二重ラベルＡを提供できる。
【００４６】
［第３実施形態］
第３実施形態の二重ラベルは、２つの剥離部を有する。
図１２は、第３実施形態の二重ラベルＡの平面図である。
本実施形態の二重ラベルＡも、表基材１と、裏基材２とを有し、前記裏基材２の裏面に粘着剤層６が設けられている。表基材１は、使用時に折り返される第１剥離部３１及び第２剥離部３２と、使用時に折り返されない接着部４と、を有する。第１剥離部３１及び第２剥離部３２は、裏基材２に対して剥離可能に接着されており、接着部４は、裏基材２に剥離困難に接着されている。上記実施形態と同様に、第１剥離部３１及び第２剥離部３２は、裏基材２に擬似接着され、接着部４は、接着剤層８２を介して裏基材２に剥離困難に接着されている。二重ラベルＡの層構成は、上記第１実施形態と同様である。
表基材１は、例えば、平面視略長方形状に形成されている。具体的には、長方形の一辺から舌状の端部１６が延設された平面視形状に形成されている。
裏基材２は、例えば、平面視長方形状に形成されている。
図示例では、表基材１は裏基材２よりも小面積であり、例えば、表基材１の縦方向長さが裏基材２の縦方向長さよりも小さく、表基材１と裏基材２の横方向長さは同じである。
【００４７】
表基材１は、第１剥離部３１と、第１剥離部３１に向かい合って配置された第２剥離部３２と、第１剥離部３１と第２剥離部３２の間に配置された接着部４と、を有する。
第１剥離部３１と接着部４の間には、第１折り罫線５１が形成され、第２剥離部３２と接着部４の間には、第２折り罫線５２が形成されている。各折り罫線５１，５２は、表基材１の１つの縁から他の縁まで直線状に形成されている。
第１剥離部３１には、差し込み口１５が形成されている。
表基材１の表面には、メッセージを記入する記入欄１８が設けられている。
【００４８】
本実施形態の二重ラベルＡも、ラベル付き商品の形態で販売され、或いは、それ自体を商品として販売される。
本実施形態の二重ラベルＡは、例えば、使用者が、図１３（ａ）に示すように、表基材１の表面に、所望のメッセージを具備させる。次に、同図（ｂ）に示すように、捲り代３ａから第１剥離部３１を捲り、第１折り罫線５１において折り曲げ、接着部４に対して折り返す。最後に、第２剥離部３２を、第２折り罫線５２にて折り、接着部４の表面に重ねる（同図（ｃ）参照）。そして、第２剥離部３２の端部１６を、第１剥離部３１の差し込み口１５に挿入する。このように第２剥離部３２と第１剥離部３１を部分的に係合させることにより、第２剥離部３２及び第１剥離部３１が、一体化されて開き戻らないようになる。
【００４９】
本実施形態の二重ラベルＡは、剥離部３を折り返すという簡易な作業で、使用者独自のメッセージを隠すことができ、剥離部３を開くことにより、メッセージを見ることができる。
また、本実施形態のように、２つの剥離部３によれば、折り返し方法も簡便となる。
【００５０】
［第４実施形態］
第４実施形態の二重ラベルは、１つの剥離部を有する。
図１４は、第４実施形態の二重ラベルＡの平面図である。
本実施形態の二重ラベルＡも、表基材１と、裏基材２とを有し、前記裏基材２の裏面に粘着剤層６が設けられている。表基材１は、使用時に折り返される１つの剥離部３５と、使用時に折り返されない接着部４と、を有する。
前記剥離部３５は、裏基材２の表面に擬似接着されており、容易に剥離可能である。擬似接着された剥離部３５を裏基材２から剥離し且つ折り返して現れる、剥離部３５の裏面は、接着性を有さない面（非接着性面）となっている。同様に、前記剥離部３５を剥離することによって現れる裏基材２の表面も、接着性を有さない面（非接着性面）となっている。
表基材１の表面には、メッセージを記入する記入欄１８が設けられ、さらに、折り罫線５５（折り曲げ補助手段）が設けられている。
また、裏基材２の一部分には、第２実施形態と同様な、ミシン目線などの切取り補助線２５が形成されている。例えば、裏基材２の１つの角部（先端部）を裏基材２から切り離すことができるように、前記切取り補助線２５が形成されている。
【００５１】
本実施形態の二重ラベルＡも、ラベル付き商品の形態で販売され、或いは、それ自体を商品として販売される。
本実施形態の二重ラベルＡは、例えば、使用者が、図１５（ａ）に示すように、表基材１の表面に、所望のメッセージを具備させる。次に、同図（ｂ）に示すように、剥離部３５を捲り、折り罫線５５において折り曲げ、接着部４に対して折り返す。
最後に、切取り補助線２５に沿って裏基材２の一部分２９を切り取り、同図（ｃ）に示すように、その一部分２９を粘着剤層６を介して剥離部３５と接着部４に跨がって貼り付けることにより、剥離部３５が開き戻らないようになる。
本実施形態の二重ラベルＡは、１つの剥離部３５を折り返すという簡易な作業で、使用者独自のメッセージを隠すことができ、１つの剥離部３５を開くことにより、メッセージを見ることができる。
【００５２】
［第５実施形態］
上記第１実施形態で示した二重ラベルＡの層構成において、各剥離部３と裏基材２を擬似接着し且つ接着部４と裏基材２を強く接着させる手段として接着剤層８２を用いたが、これに限定されず、接着剤層８２に代えて粘着剤層を用いてもよい。
図１６は、粘着剤層を用いた場合の層構成を示す。デザイン印刷層及び折り罫線は、表基材１及び裏基材２に適宜設けられるが、図１６では、デザイン印刷層及び折り罫線は図示していない。
図１６において、裏基材２の表面のうち、剥離部３６，３７に対応する範囲に剥離層８３，８３が設けられている。また、表基材１の裏面のうち、接着部４に対応する範囲には、第１粘着剤層６１が設けられている。
他方、表基材１の裏面のうち剥離部３６，３７の裏面の一部分に、第２粘着剤層６２，６３が設けられている。好ましくは、前記粘着剤層６２，６３は、剥離部３６，３７の端部近傍にスポット的に設けられる。
第１粘着剤層６１は、表基材１の接着部４の裏面及び裏基材２の表面にそれぞれ強く接着しており、従って、表基材１の接着部４は、裏基材２に対して剥離困難に接着されている。
剥離層８３，８３は、裏基材２の表面に強く接着しており、第２粘着剤層６２，６３は、剥離部３６，３７の裏面に強く接着している。一方、第２粘着剤層６２，６３と剥離層８３，８３は、その界面において擬似接着している。従って、剥離部３６，３７は、裏基材２から容易に剥離できる。
このように本発明の二重ラベルＡは、粘着剤層６１を介して表基材１と裏基材２が積層されたものでもよい。
【００５３】
本実施形態の二重ラベルＡは、剥離部３６，３７の裏面にスポット的に第２粘着剤層６２，６３が設けられているので、各剥離部３６，３７を捲って折り返すと、スポット的に設けられた第２粘着剤層６２，６３も剥離部３６，３７と共に裏基材２から剥離される。そして、図１７に示すように、各剥離部３６，３７を接着部４の表面上に折り返し、互いに重なった部分を第２粘着剤層６３（又は第２粘着剤層６２）にて貼り付けることができ、折り返した剥離部３６，３７が開くことを防止できる。
本実施形態では、剥離部３６，３７の裏面に設けられた第２粘着剤層６２，６３が、剥離部３の開き防止手段に相当する。
【００５４】
本実施形態において、折り返した各剥離部３６，３７の重なった部分を図１７に示すように第２粘着剤層６３にて接着し、さらに、剥離部３６の端部を折り返して、第２粘着剤層６２を剥離部３６の裏面に接着してもよい（図示せず）。また、折り返した剥離部３６の端部をさらに折り返し、第２粘着剤層６２と第２粘着剤層６３を互いに向かい合わせて接着するようにしてもよい（図示せず）。
このようにすれば、第２粘着剤層６２，６３が外部に露出しなくなる。
【符号の説明】
【００５５】
Ａ  二重ラベル
１  表基材
１５  差し込み口
１８  記入欄
２  裏基材
３，３１，３２，３３，３４  剥離部
４  接着部
５１，５２，５３，５４  折り罫線
６，６１，６２  粘着剤層
【図１】
2020052171.tif 000003
【図２】
2020052171.tif 000004
【図３】
2020052171.tif 000005
【図４】
2020052171.tif 000006
【図５】
2020052171.tif 000007
【図６】
2020052171.tif 000008
【図７】
2020052171.tif 000009
【図８】
2020052171.tif 000010
【図９】
2020052171.tif 000011
【図１０】
2020052171.tif 000012
【図１１】
2020052171.tif 000013
【図１２】
2020052171.tif 000014
【図１３】
2020052171.tif 000015
【図１４】
2020052171.tif 000016
【図１５】
2020052171.tif 000017
【図１６】
2020052171.tif 000018
【図１７】
2020052171.tif 000019